(57)【要約】      （修正有）【課題】コンテナの収容場所を節約し、運搬効率を高めたウィングボックスを提供する。【解決手段】ウィングボックス１は、鉄鋼製等であり、ボックス２と、ボックス２の上面を開閉する、ボックス２に取り付けられたウィング３と、ウィング３を開閉する際の衝撃を緩衝するダンパー４と、ウィング３を閉成するロックと、を備え、ウィング３が９０°以上に開くようにダンパー４と連結されていること、ボックス２の上部に突出部６を設け、ボックス２の底面に皿部７を逆さまに設け、突出部６の上に皿部７を載せることにより、段積みできること、を特徴とする。下段のウィングボックス１のウィング３のロックを解除し、ウィング３を９０°以上に開き、上段のウィングコンテナのウィングを閉じてロックし、上段のウィングボックスの皿部を、下段のウィングコンテナ１の突出部６の上に載置する。【選択図】図５
0003161600.tif 000002
【実用新案登録請求の範囲】
【請求項１】
ボックスと、
前記ボックスに取り付ける回動軸を備え、前記ボックスの上面を開閉するウィングと、
前記ウィングの開閉時の衝撃を緩衝するダンパーと、
を備え、
前記ウィングが９０°以上に開くように前記ダンパーが前記ウィングと連結されていること、
前記ボックスの上部に第１嵌合部を設け、前記ボックスの下部に第２嵌合部を設け、前記第１嵌合部と第２嵌合部とを嵌合することにより、段積みできること、
を特徴とするウィングボックス。
【考案の詳細な説明】
【技術分野】
【０００１】
本考案は、廃棄物等を収容するボックスの上面を開閉するウィングを備えたウィングボックスに関する。
【背景技術】
【０００２】
特許文献１に記載の発明は、風雨の侵入を防止し、側面からも物の積み降ろしを可能とすると共に、物の積み降ろしを容易にし、且つ、輸送中の荷物の落下や散乱を効果的に防止し、内部の有効容積を効率的に利用できるコンテナを提供するためのコンテナ１であり、コンテナ脱着装置付自動車１００に脱着自在に構成され、底板４、前板６、後部扉３及び底板４の両側に開閉可能な一対の側板７，８を備え、上部には開閉自在なウィング１２，１３が左右対称に取付けられたセンタービーム１１が備えられている。ウィング１２，１３は骨組１２ａ，１３ａにシート１４を張って構成されており、コンテナ１の上部及び側面の大部分を覆って収容空間２を形成している。ウィング１２，１３はウィング用ロック装置２２を解除すると、ガススプリング２１の弾力性により自動的に押し上げられ、同時に側板７，８を開くことによりコンテナ１の側面から物の積み降ろしが可能となる脱着式コンテナである。
【０００３】
特許文献２に記載の発明は、幌のコンテナへの脱着が簡単で、ボルトなどの固定具によってコンテナに取り付けられ、溶接や穴あけ等の不要になる伸縮幌付コンテナを提供するものであり、１対の側板７及び８にそれぞれ六角穴付ボルトやワッシャ等の固定具１１で脱着自在に取り付け可能なレール１２を備えるレール・アセンブリ１３と、前板６に固定され逆Ｕ字形状のアーチパイプ２１を有するフロントパイプ・アセンブリ２０と、レール１２を走行するように取り付けられ、コンテナの短手方向に配置され、逆Ｕ字形状のアーム形状の下端にローラを設ける第１中間キャリア３０、第２中間キャリア４０、第３中間キャリア５０、第４中間キャリア６０、第５中間キャリア７０と、リアキャリア８０と、前記各キャリアに取り付けられる幌９０と、を備えた鉄鋼製の伸縮幌付コンテナ１である。
【先行技術文献】
【特許文献】
【０００４】
【特許文献１】特開２００２−３４７８８３
【特許文献２】特開２００５−８２７６
【考案の概要】
【考案が解決しようとする課題】
【０００５】
しかしながら、従来の特許文献１〜２は、風雨の侵入を防止したりするなどにはよいのであるが、都会などにおける廃棄物収集コンテナ等の収容場所の確保といった、近年に生じている問題に対応できるものではない。この問題は都会では多くの廃棄物収集コンテナを必要とするため、このコンテナの収容場所が多く必要となる一方、都会であるがゆえに土地の確保が容易でないという点で解決困難なものである。また、廃棄物収容コンテナ等の運搬時には、多くの運搬スペースを要し、運搬効率の低下を招いていた。
【０００６】
そこで、コンテナの収容場所を節約し、運搬効率を高めたウィングボックスを提供することを課題とする。
【課題を解決するための手段】
【０００７】
上記課題に鑑み、請求項１のウィングボックスは、ボックスと、前記ボックスに取り付ける回動軸を備え、前記ボックスの上面を開閉するウィングと、前記ウィングの開閉時の衝撃を緩衝するダンパーと、を備え、前記ウィングが９０°以上に開くように前記ダンパーが前記ウィングと連結されていること、前記ボックスの上部に第１嵌合部を設け、前記ボックスの下部に第２嵌合部を設け、前記第１嵌合部と第２嵌合部とを嵌合することにより、段積みできること、を特徴とするウィングボックスである。
【考案の効果】
【０００８】
請求項１の考案は、ウィングボックスのウィングを開き、ウィングを閉じた他のウィングボックスを載せることができるので、コンテナの収容場所を節約し、運搬効率を高めることができる。しかも、下段のウィングボックスへの風雨も防ぐことができる効果がある。さらに段積み状態では、下段のウィングボックスのウィングが上段のウィングボックスの側面に配置されるので、邪魔にならない。
【０００９】
一具体的態様としては、図示は略すが、ウィングを複数個に分割することもある。これにより、ウィングボックスを複数室にした場合、それぞれに投入口を設定することができる。ウィングを閉成するロックを設けてもよい。
【００１０】
一具体的態様としては、図示は略すが、ウィングに内蓋を設けることができる。これにより、ボックス内に生ごみ等を入れる場合、気密性を確保することができる。また、内蓋を複数個に分割することもある。ウィングを複数にした場合、対応させるためである。
【００１１】
一具体的態様としては、上面が開口する略直方体形状のボックスと、前記ボックスの上面を開閉する、前記ボックスの上面の１つの長辺方向において回動自在に設けられたウィングと、前記ボックスに揺動自在に枢支され、前記ウィングの開閉時の衝撃を緩衝するダンパーと、前記ダンパー及び前記ウィングの各々に回動自在に連結するアーム部材と、前記ウィングを閉成するロックと、を備え、前記ウィングが９０°以上に開くように、前記ウィングが前記ダンパー及び前記アーム部材を介して前記ボックスと連結されていること、前記ボックスの上部に突出部を設け、前記ボックスの底面に前記突出部と係合する形状の皿部を設けることにより、前記突出部の上に前記皿部を載せて複数個のウィングボックスを段積みできること、を特徴とするウィングボックスが例示される。
【図面の簡単な説明】
【００１２】
【図１】本発明の一実施形態のウィングボックス１（ウィング３は骨組みのみ図示）の平面図である。
【図２】ウィングボックス１の正面図である。
【図３】ウィングボックス１の右側面図である。
【図４】ウィングボックス１の段積み状態を示す右側面図である。
【図５】ウィングボックス１の正面扉２ｄ，２ｅを閉じた状態を示す斜視図である。
【図６】ウィングボックス１の正面扉２ｄ，２ｅを開いた状態を示す斜視図である。
【図７】ウィングボックス１の右背面方向からの斜視図である。
【考案を実施するための形態】
【００１３】
以下に、本考案の好適な一実施形態であるウィングボックス１について図面を参照して説明する。
【００１４】
図１〜図７に示すウィングボックス１は、鉄鋼製等であり、ボックス２と、ボックス２の上面を開閉する、ボックス２に軸着されたウィング３と、ウィング３の開閉時の衝撃を緩衝するダンパー４と、ウィング３を閉成するロック５と、を備え、ウィング３が９０°以上に開くようにダンパー４及びアーム９を介してボックス２に連結されていること、ボックス２の上部に第１嵌合部としての突出部６を設け、ボックス２の底面に第２嵌合部としての皿部７を逆さまに設け、突出部６の上に皿部７を載せることができるようになっており、これにより複数個が段積みできること、を特徴とするものである。以下、詳細に説明する。
【００１５】
ボックス２は上面が開口した略直方体形状であり、ここでは、ボックスを複数の室２ａ、２ｂに分割するように仕切壁２ｃが形成されている。また、正面扉２ｄ，２ｅが観音開き構造とされていて（図５、図６参照）、ロック２ｆでロックすることで閉成し、扉開放時には掛け止め部材２ｇで掛止できるようになっている。ボックス２は１室でもよく、扉が他の構造であってもよいし、扉がなくてもよいことは無論である。
【００１６】
ウィング３はパイプから構成された骨組みと、長手方向の２カ所にボックス２と回動自在に枢支させるための回動軸８とを備える。ウィング３が９０°以上に開くことができるように、ウィング３の回動軸８は、それぞれがダンパー４及びアーム９を介してボックス２に連結されている。アーム９が回動軸８から半径方向に延び出しており、このアーム９の先端にダンパー４のピストンロッド１０ａが揺動自在に接続されている。一方、ダンパー４のシリンダ１０ｂの基部は、ボックス２に揺動自在に接続されている。ウィング３の開き角度θは９０°よりも大きいが、それに近い角度、例えば、９３°〜９８°が好ましい。あまりに開き角度θが大きいとウィング３が邪魔になり、９０°に近すぎると、ウィングボックス１を段積み状態にすることができないからである。なお、ウィング３には風雨を防ぐシートが取り付けられることとなるが、説明の便宜上、図面では省略してある。
【００１７】
ダンパー４はウィング３を開閉時の衝撃を緩衝するように弾性力が設定してある。ダンパー４はその軸方向がボックス２の側面に平行な面において回動し、ピストンロッド１０ａがシリンダ１０ｂに対して摺動するように配置されている。
【００１８】
ロック５はウィング３に掛け止めすることで、ウィングボックス１を閉成するものである。
【００１９】
突出部６はボックス２の四隅に上方に形成されたパイプ部材の先端部である。また、皿部７はボックス２の底面の四隅に形成された脚部１１に形成されている。
【００２０】
突出部６の上に皿部７を載せることができるよう、皿部７は突出部６に係合する形状であって、皿部７の開口面積は突出部６の上面の面積よりも大きく設定してある。
【００２１】
ボックス２の底面にはフォークリストのフォーク差し込みパイプ１２が複数形成されている。
【００２２】
図５〜図７に示す通り、ボックス２の上面にはフック１３（同図のみ図示し他図では省略）が設けてあり、釣り上げることができる。
【００２３】
本実施形態であるウィングボックス１の使用方法の例を説明する。
【００２４】
〔単体時〕
図１〜図３に示す通り、風雨を防ぐときには、ウィング３が閉じられて、ロック５によりロックされている。また、廃棄物の投入時には、ロック５を解除する。
【００２５】
〔段積み時〕
本実施形態であるウィングボックス１に、同一のものであるウィングボックス１０１を段積みするものとして説明する。図４に示す通り、下段のウィングボックス１のロック５を解除し、ダンパー４を作動させてウィング３を９０°以上に開き、制止させる。つぎに、上段のウィングコンテナ１０１のウィング１０３を閉じてロックし、上段のウィングボックス１０１の皿部１０７を、下段のウィングコンテナ１の突出部６の上に載置する。このような段積み状態でウィングボックス１を保管したり、運搬することができる。
【００２６】
本実施形態によれば、ウィングボックス１のウィング３を開き、ウィング１０３を閉じた他のウィングボックス１０１を載せて段積み状態とすることができるので、収容場所を節約し、運搬効率を高めることができる。しかも、下段のウィングボックス１０１への風雨も防ぐことができる効果がある。段積み状態では、下段のウィング３が上段のウィングボックス１０１の側面に配置されるので、邪魔にならない。さらに突出部６がボックス２の上面から突出しているため、下段のウィングボックス１に廃棄物等を溢れるように投入した場合でも、段積みの邪魔にならない。
【００２７】
なお、本考案の実施の形態は、下記の実施形態に何ら限定されるものではなく、本考案の技術的思想を逸脱しない範囲において、改変等を加えることができるものであり、それらの改変、均等物等も本考案の技術的範囲に含まれ、該技術的範囲に属する限り種々の形態を採り得ることは言うまでもない。例えば、ボックス２の上部に第１嵌合部としての皿部７を逆さまに設け、突出部６を設け、ボックス２の底面に第２嵌合部としての突出部６を設け、皿部７の上に突出部６を載せることができるようにしてもよい。
【００２８】
例えば、ウィング３を複数個に分割することもある。これにより、ウィングボックス１を複数室にした場合、それぞれに投入口を設定することができる。また、ウィング３の内側に内蓋をボックスに軸着し、揺動自在とすることができる。これにより、ボックス２内に生ごみ等を入れる場合、気密性を確保することができる。また、内蓋を複数個に分割することもある。ウィング３を複数にした場合、対応させるためである。
【符号の説明】
【００２９】
１・・・ウィングボックス
２・・・ボックス
３・・・ウィング
４・・・ダンパー
５・・・ロック
６・・・突出部
７・・・皿部
８・・・回動軸
９・・・アーム
１０ａ・・・ピストンロッド
１０ｂ・・・シリンダ
【図１】
0003161600.tif 000003
【図２】
0003161600.tif 000004
【図３】
0003161600.tif 000005
【図４】
0003161600.tif 000006
【図５】
0003161600.tif 000007
【図６】
0003161600.tif 000008
【図７】
0003161600.tif 000009